(57)【要約】  【課題】貯蔵室内に照明装置を備えた冷蔵庫において、確認したい時に、確認したい箇所だけ照明を照らすことができる冷蔵庫を提供する。  【解決手段】冷蔵庫３の照明装置６が設置されている貯蔵室５に、扉の開閉を検知する扉スイッチ７と、貯蔵室５内に手が近づいたことを検知する近接センサー８を備え、扉の開閉及び、手の位置によって照明装置６の点灯消灯を制御することで、使用者が確認したい時に、確認したい箇所だけ照明を照らすことができ、また不要な照明の点灯がないことにより消費電力を低減することができる。【選択図】図１
2008151359.tif 000002
【特許請求の範囲】
【請求項１】
冷凍サイクルの冷却器で生成された冷気により冷却される貯蔵室と、前記貯蔵室内に保存物を照らす照明装置と、前記貯蔵室の扉の開閉を検知する扉スイッチと、前記貯蔵室内に手が近づいたことを検知する近接センサーを備え、扉の開閉及び、手の位置によって照明装置の点灯消灯を制御することを特徴とする冷蔵庫。
【請求項２】
前記貯蔵室内を複数の区間に区切って前記照明装置と前記近接センサーを複数個設置し、扉の開閉及び、手の位置によって各照明装置の点灯消灯を個別に制御することを特徴とする請求項１に記載の冷蔵庫。
【請求項３】
前記貯蔵室の扉が開かれ、かつ手が近づいた区間のみ前記照明装置を点灯することを特徴とする請求項１または２に記載の冷蔵庫。
【請求項４】
前記貯蔵室の扉が開かれると、設置された全ての前記照明装置を点灯させ、その後、手が近づいた区間以外の前記照明装置を消灯することを特徴とする請求項１または２に記載の冷蔵庫。
【請求項５】
前記照明装置の常時消灯、もしくは前記貯蔵室の扉が開けられた場合に常時点灯、もしくは前記貯蔵室の扉の開閉及び、手の位置によって照明装置の点灯消灯を制御することを使用者が設定できる切替スイッチを備えたことを特徴とする請求項１から４のいずれか一項に記載の冷蔵庫。
【請求項６】
前記照明装置にＬＥＤを用いることを特徴とする請求項１から５のいずれか一項に記載の冷蔵庫。
【発明の詳細な説明】
【技術分野】
【０００１】
本発明は、冷蔵庫内で保存された保存物を照射する照明装置を備えた冷蔵庫に関するものである。
【背景技術】
【０００２】
従来、冷蔵庫内の保存物を照らすための照明装置が冷蔵庫内には設置されている。照明装置としては白熱灯、蛍光灯などがあり、近年ではＬＥＤを使用したものもあり、視認性の向上や、意匠的に工夫されたものがある。ＬＥＤの照明装置を備えた冷蔵庫としては、冷凍サイクルの冷却器で生成された冷気により冷却される冷蔵室等の貯蔵室と、実装基板と、複数個が実装されるとともに可視光線領域内にある波長の光線のみを発光する半導体発光素子からなる照明装置を備え、半導体発光素子が赤外線領域にある光線を発光せず、冷蔵庫の内部を照射したとき、保存物の表面温度を上昇させないので保存物表面の変色等を発生させることなく、その保存部を鮮度よく保存することができる機能をもった冷蔵庫が提案されている（例えば、特許文献１参照）。
【０００３】
図５は、特許文献１に記載された従来のＬＥＤの照明装置を備えた冷蔵庫の構造を示す斜視図である。図５において１は半導体発光素子であり、実装基板２に半導体発光素子１を実装して照明装置を構成し、冷蔵庫３の内部に設置され、これによって冷蔵庫の扉４が開かれたとき半導体発光素子１が発光して冷蔵庫３内部の保存物を照射する。このとき可視光線領域内にある波長の光線のみを発光して赤外線領域の光線を発光しないので保存物の表面温度を上昇させることなく照射することができるというものである。
【特許文献１】特開平１１−１５９９５３号公報
【発明の開示】
【発明が解決しようとする課題】
【０００４】
しかしながら、上記従来の構成では、扉が開いている間は、冷蔵室内全体を照らし続けることになり、余分な点灯時間があると、その分消費電力の無駄となる課題を有していた。
【０００５】
本発明は、上記従来の課題を解決するもので、冷蔵室内の手の位置によって照明装置の点灯消灯を制御することから、余分な点灯時間を無くし消費電力を削減することができる冷蔵庫を提供することを目的とする。
【課題を解決するための手段】
【０００６】
上記従来の課題を解決するために本発明の冷蔵庫は、冷凍サイクルの冷却器で生成された冷気により冷却される貯蔵室と、前記貯蔵室内に保存物を照らす照明装置と、前記貯蔵室の扉の開閉を検知する扉スイッチと、前記貯蔵室内に手が近づいたことを検知する近接センサーを備え、扉の開閉及び、手の位置によって照明装置の点灯消灯を制御するものである。
【０００７】
これにより、冷蔵室内の手の位置によって照明装置の点灯消灯を制御することから、余分な点灯時間を無くすことができる。
【発明の効果】
【０００８】
本発明の冷蔵庫は、冷蔵庫の照明装置が設置されている収納室に、扉の開閉を検知する扉スイッチと、収納室内に手が近づいたことを検知する近接センサーを備え、扉の開閉及び、手の位置によって照明装置の点灯消灯を制御することで、不要な時に照明装置を消灯して消費電力を低減することができる。
【発明を実施するための最良の形態】
【０００９】
請求項１に記載の発明は、冷凍サイクルの冷却器で生成された冷気により冷却される貯蔵室と、前記貯蔵室内に保存物を照らす照明装置と、前記貯蔵室の扉の開閉を検知する扉スイッチと、前記貯蔵室内に手が近づいたことを検知する近接センサーを備え、扉の開閉及び、手の位置によって照明装置の点灯消灯を制御するものであり、不要な時に照明装置を消灯して消費電力を低減することができる。
【００１０】
請求項２に記載の発明は、請求項１に記載の発明において、前記貯蔵室内を複数の区間に区切って前記照明装置と前記近接センサーを複数個設置し、扉の開閉及び、手の位置によって各照明装置の点灯消灯を個別に制御するものであり、不要な時に不要な箇所の照明装置を消灯して消費電力を低減することができる。
【００１１】
請求項３に記載の発明は、請求項１または２に記載の発明において、前記貯蔵室の扉が開かれ、かつ手が近づいた区間のみ前記照明装置を点灯するものであり、確認したい箇所のみを自動で照明を照射することができ、また、不要な箇所の照明装置を消灯するので消費電力を低減することができる。
【００１２】
請求項４に記載の発明は、請求項１または２に記載の発明において、前記貯蔵室の扉が開かれると、設置された全ての前記照明装置を点灯させ、その後、手が近づいた区間以外の前記照明装置を消灯するものであり、確認したい箇所のみを自動で照明を照射することができ、また、不要な箇所の照明装置を消灯するので消費電力を低減することができる。
【００１３】
請求項５に記載の発明は、請求項１から４のいずれか一項に記載の発明において、前記照明装置の常時消灯、もしくは前記貯蔵室の扉が開けられた場合に常時点灯、もしくは前記貯蔵室の扉の開閉及び、手の位置によって照明装置の点灯消灯を制御することを使用者が設定できる切替スイッチを備えたものであり、使用者が照明装置の点灯方法を自由に設定することができる。
【００１４】
請求項６に記載の発明は、請求項１から５のいずれか一項に記載の発明において、前記照明装置にＬＥＤを用いるものであり、点灯消灯を繰り返しても照明装置の寿命は劣化せず、長期間使用することができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における冷蔵庫の制御装置のブロック図であり、冷蔵庫の構成と動作を示すものである。
【００１７】
図１において、冷蔵庫３は、冷凍サイクルの冷却器で生成された冷気により冷却さる冷蔵室などの貯蔵室５を備え、貯蔵室５内に保存物を照らす照明装置６を備え、貯蔵室５の扉の開閉を検知する扉スイッチ７を備え、貯蔵室５内に手が近づいたことを検知する近接センサー８を備え、扉の開閉及び、手の位置によって照明装置６の点灯消灯を制御する照明装置制御手段９を備えた構成となっている。
【００１８】
以上のように構成された冷蔵庫について、以下その動作、作用を説明する。
【００１９】
まず、冷蔵庫３の電源投入後、貯蔵室５の扉を開けると扉スイッチ７によって扉が開けられたことを検知する。次に貯蔵室５の中の保存物を取ろうと手を貯蔵室５の中に近づけると近接センサー８によって手が貯蔵室５の中に入ってきたことを検知する。この扉スイッチ７と近接センサー８の検出条件によって、照明装置６の点灯消灯を制御する。
【００２０】
以上のように、本実施の形態においては照明装置６を扉の開閉と、手の位置によって制御させることで、使用者が見たいときにだけ、貯蔵室５内の保存物を照明で照らすことができる。
【００２１】
（実施の形態２）
図２は、本発明の実施の形態２における冷蔵庫の制御装置のブロック図であり、冷蔵庫の構成と動作を示すものである。
【００２２】
図２において、冷蔵庫３は、冷凍サイクルの冷却器で生成された冷気により冷却さる冷蔵室などの貯蔵室５を備え、貯蔵室５内を複数の区間に区切って、各区間に保存物を照らす照明装置６と手が近づいたことを検知する近接センサー８を備え、貯蔵室５の扉の開閉を検知する扉スイッチ７を備え、扉の開閉及び、手の位置によって個々の照明装置６の点灯消灯を制御する照明装置制御手段９を備えた構成となっている。
【００２３】
以上のように構成された冷蔵庫について、以下その動作、作用を説明する。
【００２４】
まず、冷蔵庫３の電源投入後、貯蔵室５の扉を開けると扉スイッチ７によって扉が開けられたことを検知する。次に貯蔵室５の中の保存物を取ろうと手を貯蔵室５の中に近づけると各区間に設けられた近接センサー８によって手が貯蔵室５の中のどの区間に入ってきたかを検知する。この扉スイッチ７と近接センサー８の検出条件によって、各区間に設けられた照明装置６の点灯消灯を個別に制御する。
【００２５】
また、貯蔵室５の扉が開けられ、且つ手が近づいた場合に、手が近づいている区間の照明装置６のみを点灯させる。
【００２６】
また、貯蔵室５の扉が開けられると、まず全ての照明装置６を点灯させる。次に保存物を取ろうと手が近づいた区間に設けられた照明装置６はそのまま点灯させ、それ以外の区間に設けられた照明装置６は消灯させる。
【００２７】
以上のように、本実施の形態においては各区間に設けられた照明装置６を扉の開閉と、手の位置によって制御させることで、使用者が見たいときに、見たい場所に置かれている保存物を照明で照らすことができる。また、不要な場所の照明は消灯するので、冷蔵庫の消費電力を低減することができる。
【００２８】
（実施の形態３）
図３は、本発明の実施の形態３における冷蔵庫の制御装置のブロック図であり、冷蔵庫の構成と動作を示すものである。
【００２９】
図３において、冷蔵庫３は、照明装置６の常時消灯、もしくは貯蔵室５の扉が開けられた場合に常時点灯、もしくは貯蔵室５の扉の開閉及び、手の位置によって照明装置６の点灯消灯を制御することを使用者が設定できる切替スイッチ１０を備えた構成となっている。
【００３０】
以上のように構成された冷蔵庫について、以下その動作、作用を説明する。
【００３１】
まず、冷蔵庫３の電源投入後、切替スイッチ１０によって、照明装置６の常時消灯、もしくは貯蔵室５の扉が開けられた場合に常時点灯、もしくは貯蔵室５の扉の開閉及び、手の位置によって照明装置６の点灯消灯を制御すること等の照明装置６の点灯パターンを設定する。
【００３２】
以上のように、照明装置６の点灯方法を切替えることができる切替スイッチ１０を設けることで、使用者が照明装置６の点灯方法を自由に設定できる。また、照明を必要としない場合は、常時消灯に設定することができるので、冷蔵庫の消費電力を低減することができる。
【００３３】
（実施の形態４）
図４は、本発明の実施の形態４における冷蔵庫の制御装置のブロック図であり、冷蔵庫の構成と動作を示すものである。
【００３４】
図４において、冷蔵庫３は、半導体発光素子で構成されたＬＥＤ照明装置１１を備えた構成となっている。
【００３５】
以上のように構成された冷蔵庫について、以下その動作、作用を説明する。
【００３６】
まず、冷蔵庫３の電源投入後、貯蔵室５の扉を開けると扉スイッチ７によって扉が開けられたことを検知する。次に貯蔵室５の中の保存物を取ろうと手を貯蔵室５の中に近づけると近接センサー８によって手が貯蔵室５の中に入ってきたことを検知する。この扉スイッチ７と近接センサー８の検出条件によって、ＬＥＤ照明装置１１の点灯消灯を制御する。
【００３７】
この際、ＬＥＤ照明装置１１の点灯消灯回数を制限することなく制御することができる。
【００３８】
以上のように、半導体発光素子で構成されたＬＥＤ照明装置１１は点灯消灯を繰り返すことによる寿命劣化がないので、点灯と消灯を任意の回数繰り返すことができる。
【００３９】
本実施の形態では、各々の機能ごとに説明をしたがそれぞれを組み合わせて用いてもなんら問題はない。
【産業上の利用可能性】
【００４０】
以上のように、本発明にかかる冷蔵庫は、貯蔵室内に手が近づいたことを検知する近接センサーを備えることで、貯蔵室内の保存物を見たいときに見たい箇所だけ照明で照らすことができるものであり、冷蔵庫に限らず、照明装置を備えた収納庫などにおいても適用でき、利便性の向上や、照明による消費電力の低減を図ることができる。
【図面の簡単な説明】
【００４１】
【図１】本発明の実施の形態１における冷蔵庫の制御装置のブロック図
【図２】本発明の実施の形態２における冷蔵庫の制御装置のブロック図
【図３】本発明の実施の形態３における冷蔵庫の制御装置のブロック図
【図４】本発明の実施の形態４における冷蔵庫の制御装置のブロック図
【図５】従来のＬＥＤの照明装置を備えた冷蔵庫の構造を示す斜視図
【符号の説明】
【００４２】
３    冷蔵庫
５    貯蔵室
６    照明装置
７    扉スイッチ
８    近接センサー
９    照明装置制御手段
１０  切替スイッチ
１１  ＬＥＤ照明装置
【図１】
2008151359.tif 000003
【図２】
2008151359.tif 000004
【図３】
2008151359.tif 000005
【図４】
2008151359.tif 000006
【図５】
2008151359.tif 000007